【手続補正書】
【提出日】平成19年5月21日(2007.5.21)
【手続補正１】
【補正対象書類名】明細書
【補正対象項目名】発明の名称
【補正方法】変更
【補正の内容】
【発明の名称】印刷処理装置及びその制御方法、コンピュータ可読メモリ
【手続補正２】
【補正対象書類名】明細書
【補正対象項目名】特許請求の範囲
【補正方法】変更
【補正の内容】
【特許請求の範囲】
【請求項１】  情報管理サーバとネットワークを介して通信可能な印刷処理装置であって、
印刷データを前記情報管理サーバから受信する受信手段と、
前記受信手段により受信された印刷データを記憶する記憶手段と、
前記記憶手段に記憶された印刷データを、それに対して設定されている有効期限および通知先端末と対応づけて管理する管理手段と、
前記記憶手段に記憶された印刷データに対して印刷処理が実行されたかどうかを判定する判定手段と、
前記判定手段による判定結果および前記印刷データの有効期限に応じて、前記通知先端末に対してメッセージ情報を通知するよう制御する通知制御手段と
を備えることを特徴とする印刷処理装置。
【請求項２】  前記通知制御手段は、前記判定手段による判定の結果、前記記憶手段に記憶された印刷データに対して印刷処理が実行されておらず、所定時間後に前記有効期限になる場合に、前記通知先端末に対して前記メッセージ情報を通知するよう制御する
ことを特徴とする請求項１記載の印刷処理装置。
【請求項３】  前記判定手段は、一定時刻になると前記判定処理を開始する
ことを特徴とする請求項１記載の印刷処理装置。
【請求項４】  情報管理サーバとネットワークを介して通信可能な印刷処理装置の制御方法であって、
印刷データを前記情報管理サーバから受信する受信工程と、
前記受信工程により受信された印刷データを記憶媒体に記憶する記憶工程と、
前記記憶工程で前記記憶媒体に記憶された印刷データを、それに対して設定されているその有効期限および通知先端末と対応づけて管理する管理工程と、
前記記憶工程で前記記憶媒体に記憶された印刷データに対して印刷処理が実行されたかどうかを判定する判定工程と、
前記判定工程による判定結果および前記印刷データの有効期限に応じて、前記通知先端末に対してメッセージ情報を通知するよう制御する通知制御工程と
を備えることを特徴とする印刷処理装置の制御方法。
【請求項５】  情報管理サーバとネットワークを介して通信可能な印刷処理装置の制御をコンピュータに実行させるためのコンピュータプログラムを記憶したコンピュータ可読メモリであって、
印刷データを前記情報管理サーバから受信する受信工程と、
前記受信工程により受信された印刷データを記憶媒体に記憶する記憶工程と、
前記記憶工程で前記記憶媒体に記憶された印刷データを、それに対して設定されているその有効期限および通知先端末と対応づけて管理する管理工程と、
前記記憶工程で前記記憶媒体に記憶された印刷データに対して印刷処理が実行されたかどうかを判定する判定工程と、
前記判定工程による判定結果および前記印刷データの有効期限に応じて、前記通知先端末に対してメッセージ情報を通知するよう制御する通知制御工程と
をコンピュータに実行させるためのコンピュータプログラムを記憶したコンピュータ可読メモリ。
【手続補正３】
【補正対象書類名】明細書
【補正対象項目名】０００８
【補正方法】変更
【補正の内容】
【０００８】
【課題を解決するための手段】
上記の目的を達成するための本発明による印刷処理装置は以下の構成を備える。即ち、  情報管理サーバとネットワークを介して通信可能な印刷処理装置であって、
印刷データを前記情報管理サーバから受信する受信手段と、
前記受信手段により受信された印刷データを記憶する記憶手段と、
前記記憶手段に記憶された印刷データを、それに対して設定されているその有効期限および通知先端末と対応づけて管理する管理手段と、
前記記憶手段に記憶された印刷データに対して印刷処理が実行されたかどうかを判定する判定手段と、
前記判定手段による判定結果および前記印刷データの有効期限に応じて、前記通知先端末に対してメッセージ情報を通知するよう制御する通知制御手段と
を備える。
【手続補正４】
【補正対象書類名】明細書
【補正対象項目名】０００９
【補正方法】変更
【補正の内容】
【０００９】
また、好ましくは、前記通知制御手段は、前記判定手段による判定の結果、前記記憶手段に記憶された印刷データに対して印刷処理が実行されておらず、所定時間後に前記有効期限になる場合に、前記通知先端末に対して前記メッセージ情報を通知するよう制御する。
【手続補正５】
【補正対象書類名】明細書
【補正対象項目名】００１０
【補正方法】変更
【補正の内容】
【００１０】
また、好ましくは、前記判定手段は、一定時刻になると前記判定処理を開始する。
【手続補正６】
【補正対象書類名】明細書
【補正対象項目名】００１１
【補正方法】変更
【補正の内容】
【００１１】
上記の目的を達成するための本発明による印刷処理装置の制御方法は以下の構成を備える。即ち、
情報管理サーバとネットワークを介して通信可能な印刷処理装置の制御方法であって、
印刷データを前記情報管理サーバから受信する受信工程と、
前記受信工程により受信された印刷データを記憶媒体に記憶する記憶工程と、
前記記憶工程で前記記憶媒体に記憶された印刷データを、それに対して設定されているその有効期限および通知先端末と対応づけて管理する管理工程と、
前記記憶工程で前記記憶媒体に記憶された印刷データに対して印刷処理が実行されたかどうかを判定する判定工程と、
前記判定工程による判定結果および前記印刷データの有効期限に応じて、前記通知先端末に対してメッセージ情報を通知するよう制御する通知制御工程と
を備える。
【手続補正７】
【補正対象書類名】明細書
【補正対象項目名】００１２
【補正方法】変更
【補正の内容】
【００１２】
上記の目的を達成するための本発明によるコンピュータ可読メモリは以下の構成を備える。即ち、
情報管理サーバとネットワークを介して通信可能な印刷処理装置の制御をコンピュータに実行させるためのコンピュータプログラムを記憶したコンピュータ可読メモリであって、
印刷データを前記情報管理サーバから受信する受信工程と、
前記受信工程により受信された印刷データを記憶媒体に記憶する記憶工程と、
前記記憶工程で前記記憶媒体に記憶された印刷データを、それに対して設定されているその有効期限および通知先端末と対応づけて管理する管理工程と、
前記記憶工程で前記記憶媒体に記憶された印刷データに対して印刷処理が実行されたかどうかを判定する判定工程と、
前記判定工程による判定結果および前記印刷データの有効期限に応じて、前記通知先端末に対してメッセージ情報を通知するよう制御する通知制御工程と
をコンピュータに実行させるためのコンピュータプログラムを記憶したコンピュータ可読メモリ。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】０３７２
【補正方法】変更
【補正の内容】
【０３７２】
ステップＳ３３１７にてＰサービス端末で該当Ｐコードが存在したか判定する。ステップＳ３３１７で該当Ｐコードが存在したと判定された場合にはステップＳ３３１９でＰサービス端末１００内のディスクユニット１０８より先読み印刷データ登録部１０８ａにある該当Ｐコードの印刷情報を取得する。この時、ローカル端末の持つＰコードテーブルより印刷ステータスの値を１追加する。
【手続補正１４】
【補正対象書類名】明細書
【補正対象項目名】０３７３
【補正方法】変更
【補正の内容】
【０３７３】
ステップＳ３３１７にて、Ｐサービス端末に該当Ｐコードが存在しないと判定した場合には、ステップＳ３３１８でＰサービス端末１００はＰサービスサーバ２００からＰコードに関する印刷情報を取得する。このＰコード情報が受信サービスの印刷情報であった場合、図１１Ｂに示す受信サービス用Ｐコードテーブルから印刷ステータスの値を１追加する。